(57)【特許請求の範囲】
【請求項１】
２枚の紙をその側縁部を重ねた状態で紙の面方向に相対的に移動可能にガイドするガイド手段と、該移動過程における２枚の紙の側縁部間で少なくともいずれか一方の側縁部に接着剤を塗布する塗布手段とを備え、
上記ガイド手段を、相対向する一対のガイド板と、該各ガイド板の一端を開放させ該各ガイド板間に上記２枚の紙が臨みうるように該各ガイド板の他端を支持する支持部とを備えて構成し、上記塗布手段を、上記支持部に設けられ、上記ガイド板間であって上記２枚の紙間に上記接着剤を露出させて保持する保持部を備えて構成したことを特徴とする接着剤塗布具。
【請求項２】
上記接着剤を、棒状の固形糊で構成し、上記保持部を、上記固形糊の先端部を露出させて保持する筒体で構成し、該筒体を上記支持部に着脱可能に設けたことを特徴とする請求項１記載の接着剤塗布具。
【請求項３】
上記接着剤を、液状糊で構成し、上記保持部を、上記ガイド板間であって上記支持部に突設され上記液状糊を表面に浸出させて露出させる板状部材で構成し、該板状部材に液状糊を供給する容器を上記支持部に設けたことを特徴とする請求項１記載の接着剤塗布具。
【請求項４】
上記ガイド板を、該ガイド板と該ガイド板間に露出させられた接着剤との間に上記紙が差し込まれる差し込み空間を形成する差し込み位置と、上記ガイド板を互いに接近させて差し込み空間を狭め上記紙を上記接着剤に押圧する押圧位置の２位置に移動可能にしたことを特徴とする請求項１，２または３記載の接着剤塗布具。
【請求項５】
上記ガイド板を上記押圧位置から差し込み位置に付勢する付勢手段を設け、該付勢手段の付勢力に抗して上記ガイド板を押圧することにより上記ガイド板を差し込み位置から押圧位置に移動させて紙に接着剤を塗布させるようにしたことを特徴とする請求項４記載の接着剤塗布具。
【請求項６】
上記付勢手段を、ガイド板を弾性部材で形成することにより構成したことを特徴とする請求項５記載の接着剤塗布具。
【請求項７】
上記ガイド手段に、上記ガイド板の一端部よりも上記紙の移動方向下流側に設けられ接着剤が塗布された後に上記２枚の紙の側縁部を外側から押さえる押さえ部を設けたことを特徴とする請求項１，２，３，４，５または６記載の接着剤塗布具。
【請求項８】
上記押さえ部の内側を、上記ガイド板の各一端部に連続し上記一端部から互いに接近する斜面に形成したことを特徴とする請求項７記載の接着剤塗布具。
【請求項９】
上記ガイド板間であって、上記接着剤よりも紙の移動方向上流側に２枚の紙の側縁部を隔てる仕切を設けたことを特徴とする請求項１，２，３，４，５，６，７または８記載の接着剤塗布具。
【発明の詳細な説明】
【技術分野】
【０００１】
本発明は、紙の側縁部に接着剤を塗布する接着剤塗布具に係り、特に、２枚の紙を重ねた状態で接着剤を塗布して互いに貼り合わせることのできる接着剤塗布具に関する。
【背景技術】
【０００２】
一般に、例えば、表面に図が描かれ裏面が白紙になっている図面のような紙を、二つ折りにして複数重ねて綴じる場合、図を見開きで見るようにするために、一枚の図面を表面同士が向き合うように二つ折りにし、これらを重ねて折った側を綴じることを行なう。この際、隣り合う図面の裏面同士において、例えば、貼り合わせる紙の側縁部に糊を塗布し、紙と紙とを揃えて貼り合わせる。
【０００３】
従来、このような紙の側縁部に糊を塗布する接着剤塗布具としては、例えば、特許文献１（特開平７−３２３６９９号公報）に記載されたものがある。
【０００４】
図１１に示すように、この従来の接着剤塗布具Ｓａは、先端部の内面部間に紙Ｋの差し込み空間Ａを形成する合成樹脂製のＵ字状の器具本体１を備えている。器具本体１は、弾性体で形成され、互いに相対峙する板状部分２ａ，２ｂが外側からの押圧により接近可能になっている。一方の板状部分２ａの先端側には透孔３が形成されている。
【０００５】
また、一方の板状部分２ａには、液状糊の収容部４が設けられている。収容部４の上部には、液状糊の補充用口部５が設けられている。補充用口部５には、キャップ５ａが設けられている。また、収容部４の下部には、雄ネジ付きの糊付け用口部６が設けられている。糊付け用口部６には、収容部４の押圧に伴って液状糊が滲み出るスポンジ状の糊付け具７が、糊付け用口部６の雄ネジ６ａに螺着される筒状の保持部材７ａを介して取付けられている。保持部材７ａには、糊付け具７の非使用時に、糊付け具７を覆う着脱可能なキャップ（図示せず）が取付け可能になっている。
他方の板状部分２ｂの先端部には、その内面に紙を受ける受け部材８が設けられている。
【０００６】
この接着剤塗布具Ｓａを用いて２枚の重なった紙Ｋ（９，１０）に糊を塗布する場合には、例えば、両方の紙Ｋ（９，１０）の側縁部９ａ，１０ａを糊付け具７と受け部材８の間の差し込み空間Ａに差し込む。次に、２枚の重なった紙Ｋ（９，１０）の他方の紙Ｋ（９）の側縁部９ａをめくり返し、一方の紙Ｋ（１０）の側縁部１０ａを露出させる。そして、器具本体１の板状部分２ａ，２ｂを互いに接近させて、糊付け具７と受け部材８とによって一方の紙Ｋ（１０）の側縁部１０ａを挟み付ける。この状態で、紙Ｋ（９，１０）の面方向に相対的に接着剤塗布具Ｓａと２枚の紙Ｋ（９，１０）とを移動して、一方の紙Ｋ（１０）の側縁部１０ａに糊付け具７から滲み出した液状糊を塗布し、その後、２枚の紙Ｋ（９，１０）の側縁部９ａ，１０ａに外側から手を当てて２枚の紙Ｋ（９，１０）を貼り合わせる。
【０００７】
【特許文献１】特開平７−３２３６９９号公報
【発明の開示】
【発明が解決しようとする課題】
【０００８】
ところで、上記の従来の接着剤塗布具Ｓａにあっては、他方の紙Ｋ（９）は、めくり返されて一方の紙Ｋ（１０）のように糊付け具７と受け部材８で挟まれておらず、押さえられていないので、この他方の紙Ｋ（９）が暴れて、２枚の紙Ｋ（９，１０）が揃えられた状態を維持でき難いという問題があった。そのため、糊の塗布と同時に紙の側縁部９ａ，１０ａ同士を貼り合わせようとすると、糊を一方の紙Ｋ（１０）に塗布する途中で他方の紙Ｋ（９）が暴れた場合には、紙Ｋ（９，１０）の側端縁同士がずれて貼り付けられたり、貼り付けられた紙Ｋ（９，１０）の側縁部９ａ，１０ａにしわが生じたりし、貼り付け精度が悪くなるという問題があった。また、一方の紙Ｋ（１０）への糊の塗布後に、手で他方の紙Ｋ（９）を貼り合わせようとすると、一方の紙の側縁部１０ａに塗布された糊が他方の紙Ｋ（９）にくっついて、一方の紙Ｋ（１０）と他方の紙Ｋ（９）の側端縁同士を揃えるのが難しくなるので、貼り合わせ作業が煩雑になるという問題があった。
【０００９】
本発明は上記の問題点に鑑みて為されたもので、予め揃えられて重なった２枚の紙を、揃った状態のまま２枚の紙の側縁部間に接着剤を塗布して貼り付けることができるようにし貼り付け精度の向上を図るとともに、容易に貼り付けできるようにして作業性の向上を図った接着剤塗布具を提供することを目的とする。
【課題を解決するための手段】
【００１０】
このような目的を達成するための本発明の接着剤塗布具は、２枚の紙をその側縁部を重ねた状態で紙の面方向に相対的に移動可能にガイドするガイド手段と、該移動過程における２枚の紙の側縁部間で少なくともいずれか一方の側縁部に接着剤を塗布する塗布手段とを備えている。
【００１１】
従って、この接着剤塗布具を使用する際には、２枚の紙を予め揃えて重ね、この状態のままガイド手段でガイドしつつ移動させる。この際、２枚の紙が両方ともガイド手段にガイドされるので、従来のものと比較して、いずれか一方の紙が暴れる事態が防止され、２枚の紙が揃えられた状態を維持できるようになる。そのため、２枚の紙が揃った状態のまま、側縁部に接着剤を塗布できるようになるので、貼り付けた時に、従来のように紙の側端縁がずれたり、紙の側縁部にしわが寄ったりする事態を防止でき、紙の貼り付け精度を向上させることができる。
また、ガイド手段によりガイドされたまま塗布でき、接着剤の塗布後も紙の側端縁が揃った状態のままになるので、接着剤の塗布後に、再度２枚の紙の側端縁同士を揃える作業を省くことができ、貼り合わせ作業が容易になり作業性の向上を図ることができる。
【００１２】
また、上記ガイド手段を、相対向する一対のガイド板と、該各ガイド板の一端を開放させ該各ガイド板間に上記２枚の紙が臨みうるように該各ガイド板の他端を支持する支持部とを備えて構成し、上記塗布手段を、上記支持部に設けられ、上記ガイド板間であって上記２枚の紙間に上記接着剤を露出させて保持する保持部を備えて構成している。
この場合、ガイド板の開放された側から、このガイド板間に２枚の紙を夫々差し入れて一対のガイド板間に２枚の紙を臨ませるとともに、この２枚の紙間に接着剤を露出させる。この状態で、２枚の紙と接着剤塗布具とを相対的に移動させる。
この際、２枚の紙は、ガイド板にガイドされて、ガイド板に沿って移動するので、移動過程で安定して接着剤を紙に塗布できるようになる。
【００１３】
更に、必要に応じ、上記接着剤を、棒状の固形糊で構成し、上記保持部を、上記固形糊の先端部を露出させて保持する筒体で構成し、該筒体を上記支持部に着脱可能に設けている。
この構成によれば、固形糊の塗布が繰り返されて、固形糊が無くなった場合には、筒体を取外して別の新しい固形糊をこの筒体に保持させて、再び支持部に取付ける。これにより、接着剤塗布具全体を交換しなくても良くなる。また、市販の棒状の固形糊である、所謂スティック糊を使用できるようにしておけば、汎用性が向上させられる。
【００１４】
更に、必要に応じ、上記接着剤を、液状糊で構成し、上記保持部を、上記ガイド板間であって上記支持部に突設され上記液状糊を表面に浸出させて露出させる板状部材で構成し、該板状部材に液状糊を供給する容器を上記支持部に設けている。
この構成によれば、板状部材に紙が触れるだけで紙に液状糊が塗布され、また、液状なので、板状部材との間に摩擦力が生じにくくなり、紙の移動をスムーズに行なうことができる。
【００１５】
更にまた、必要に応じ、上記ガイド板を、該ガイド板と該ガイド板間に露出させられた接着剤との間に上記紙が差し込まれる差し込み空間を形成する差し込み位置と、上記ガイド板を互いに接近させて差し込み空間を狭め上記紙を上記接着剤に押圧する押圧位置の２位置に移動可能にしている。
この場合、紙に接着剤を塗布する場合には、差し込み空間に重なった２枚の紙を夫々差し入れて紙の内側に接着剤がくるようにするとともに、ガイド板を差し込み位置から押圧位置に移動させ、ガイド板と接着剤との間の紙を挟み込む。この状態で２枚の紙を移動させる。これにより、差し込み位置にあるときは、差し込み空間が形成されているので、紙が差し込み易くなる。
そして、２枚の紙と接着剤塗布具とを相対移動させる。この際、ガイド板が押圧位置にあり、ガイド板を介して紙が接着剤に押圧されるので、接着剤が確実に紙に塗布され、塗りむらが少なくなり２枚の紙の接着が確実になる。
【００１６】
また、必要に応じ、上記ガイド板を上記押圧位置から差し込み位置に付勢する付勢手段を設け、該付勢手段の付勢力に抗して上記ガイド板を押圧することにより上記ガイド板を差し込み位置から押圧位置に移動させて紙に接着剤を塗布させるようにしている。
この構成によれば、紙に接着剤を塗布する際に、差し込み空間に重なった２枚の紙を夫々差し入れて紙の内側に接着剤がくるようにしてから、ガイド板を付勢手段の付勢力に抗して押圧し、ガイド板を差し込み位置から押圧位置に移動させる。そして、２枚の紙を移動し終えたら、ガイド板の押圧をやめる。この際、ガイド板は、弾性力により押圧位置から差し込み位置に自動的に復帰する。そのため、接着剤を塗り終わるたびにいちいち、差し込み位置から押圧位置に戻す手間が省けるので、作業性が向上させられる。即ち、次に２枚の紙を接着する際に、容易に差し込み空間に紙を差し込むことができるようになる。
【００１７】
更に、必要に応じ、上記付勢手段を、ガイド板を弾性部材で形成した構成としている。
構造が簡単になり製造コストが低減される。
【００１８】
次にまた、必要に応じ、上記ガイド手段に、上記ガイド板の一端部よりも上記紙の移動方向下流側に設けられ接着剤が塗布された後に上記２枚の紙の側縁部を外側から押さえる押さえ部を設けている。
この際、紙の移動中に押さえ部により２枚の紙の側縁部が外側から押圧される。そのため、従来に比較して、紙を移動して２枚の紙間に接着剤を塗布した後に、紙の外側から２枚の紙を押さえる作業を省いてもよくなり、それだけ作業性が向上させられる。
【００１９】
更に、必要に応じ、上記押さえ部の内側を、上記ガイド板の各一端部に連続し上記一端部から互いに接近する斜面に形成している。
更に、この際、移動中の２枚の紙がガイド板を通過した後に、押さえ部の斜面により紙の側縁部同士が近付く方向に向かせられるので、２枚の紙を移動するだけでこの２枚の紙の側縁部同士が当接するようになり、側縁部の接着剤により２枚の紙が自ずと接着するようにできる。
【００２０】
また、必要に応じ、上記ガイド板間であって、上記接着剤よりも紙の移動方向上流側に２枚の紙の側縁部を隔てる仕切を設けている。
この場合、塗布前に２枚の紙が仕切により隔てられる。この状態で紙を移動させると、ガイド板と接着剤との間が比較的狭くなっていても、各紙を夫々のガイド板と接着剤との間に別々に入れることができる。
【発明の効果】
【００２１】
本発明の接着剤塗布具によれば、ガイド手段でガイドされた２枚の紙を重ねた状態で移動可能にガイドするとともに、移動中の紙の側縁部に塗布手段で塗布するので、２枚の紙が両方ともガイド手段にガイドされて、２枚の紙が揃った状態のまま接着剤を塗布できるようになり、この２枚の紙を貼り付けた時に、従来のように紙の側端縁がずれたり、紙の側縁部にしわが寄ったりする事態が防止でき、紙の貼り付け精度を向上させることができる。また、接着剤の塗布後も紙の側端縁が揃った状態を維持できるので、塗布後に、再度一方の紙と他方の紙の側端縁同士を揃える作業を省くことができ、貼り合わせ作業が容易になり、作業性の向上を図ることができる。
【発明を実施するための最良の形態】
【００２２】
以下、添付図面に基づいて、本発明の実施の形態に係る接着剤塗布具について詳細に説明する。
【００２３】
図１乃至図６に示すように、接着剤塗布具Ｓ１の基本的構成は、２枚の紙Ｋをその側縁部１７を重ねた状態で紙Ｋの面方向に相対的に移動可能にガイドするガイド手段２０と、移動過程における２枚の紙Ｋの側縁部１７間で少なくともいずれか一方（実施の形態では両方）の側縁部１７に接着剤Ｎを塗布する塗布手段３０とを備えてなる。実施の形態に係る接着剤塗布具Ｓ１においては、接着剤Ｎは、棒状の固形糊１５で構成されている。
【００２４】
詳しくは、ガイド手段２０は、相対向する一対のガイド板２１と、この各ガイド板２１の一端２２を開放させ各ガイド板２１間に２枚の紙Ｋが臨みうるように各ガイド板２１の他端２３を支持する支持部２８とを備えて構成されている。
図５に示すように、一対のガイド板２１は、１枚の矩形状の弾性のある樹脂製の板材２１ａで形成され、この板材２１ａを中央から折曲することにより相対向させられている。
ガイド板２１は、ガイド板２１とこのガイド板２１間に露出させられた固形糊１５との間に紙Ｋが差し込まれる差し込み空間Ａが形成される差し込み位置Ｕと、ガイド板２１を互いに接近させて差し込み空間Ａを狭め紙Ｋを固形糊１５に押圧する押圧位置Ｐの２位置に移動可能になっている。
図１乃至図５に示すように、ガイド板２１の一端部２２ａの内側は、紙Ｋに摺接する摺接部２４が形成されている。摺接部２４は、ガイド板２１の一端部２２ａに付設される直方体形状の発泡性樹脂で形成された基材２５と、この基材２５の表面に付設される板状の摺接板２６とからなる。摺接板２６は、弾性を有した表面が平滑な樹脂製の板材で構成されている。
【００２５】
また、ガイド手段２０には、ガイド板２１の一端部２２ａよりも紙Ｋの移動方向下流側に設けられ固形糊１５が塗布された後に２枚の紙Ｋの側縁部１７を外側から押さえる押さえ部２９が設けられている。押さえ部２９は、摺接板２６の紙Ｋの移動方向下流側に設けられ、摺接板２６を紙Ｋの移動方向下流側に延設して構成されている。押さえ部２９の内側は、ガイド板２１の各一端部２２ａの摺接板２６に連続し、末端部２９ｂに向けて互いに接近する斜面に形成されている。末端部２９ｂは、互いに離間方向に向けて湾曲させられている。
【００２６】
塗布手段３０は、支持部２８に設けられ、ガイド板２１間であって２枚の紙Ｋ間に固形糊１５を露出させて保持する保持部３１を備えて構成されている。保持部３１は、固形糊１５の先端部を露出させて保持する筒体３２で構成されている。この保持部３１及び固形糊１５としては、所謂、スティック糊と称される市販の筒体３２で保持される棒状の固形糊を使用することもできる。
図５に示すように、筒体３２には、筒体３２に対して固形糊１５が進退可能に収納され、この固形糊１５を進退動させる進退機構３３が設けられている。進退機構３３は、固形糊１５の基端部１５ａを支持し雌ネジが設けられたベース３５と、筒体３２の基端に筒体３２に対して相対回転可能に設けられるつまみ３４と、つまみ３４に突設されベース３５の雌ネジに螺合する雄ネジ３６と、筒体３２内に設けられベース３５の回転を規制する規制部材３７とを備えて構成されている。雄ネジ３６は、ベース３５の中央に設けられている。つまみ３４は、基端側に開口３４ａを有したカップ状に形成されている。規制部材３７は、ベース３５の外周縁部に設けた溝３５ａに入れられるとともに、筒体３２の内壁であって固形糊１５の進退方向に突設されるレール３７ａで構成されている。レール３７ａは、向かい合うように１対設けられている。
また、筒体３２の先端部３２ａは、筒体３２の先端の固形糊１５及び筒体３２の先端部３２ａを覆うキャップ３８が着脱自在になっており、固形糊１５の乾燥を防止するために、非使用時にはこのキャップ３８が被せられる。
【００２７】
更に、筒体３２は、支持部２８であるガイド板２１の他端部２３ａの中央に設けた矩形状の孔３９から、ガイド板２１の外側に露出させられるとともに、この支持部２８に着脱可能に設けられている。孔３９の他端２３側の他端内周４０には、筒体３２のつまみ３４が差し込まれて係合する係合溝３９ａが形成されている。筒体３２の支持部２８への取付けは、図５及び図６に示すように、筒体３２のつまみ３４を係合溝３９ａに差し込むことにより行なわれる。
更に、この筒体３２は、その長手方向中央の外壁が孔３９の一端２２側の一端内周４２に当接して、一対のガイド板２１を突っ張ることによりガイド板２１の一端２２側を離間させている。
【００２８】
また、接着剤塗布具Ｓ１には、ガイド板２１を、押圧位置Ｐから差し込み位置Ｕに付勢する付勢手段４３が設けられている。この付勢手段４３は、弾性のある樹脂製のガイド板２１そのもので構成されている。このガイド板２１は、筒体３２の外壁に当接した孔３９の一端内周４２を支点に撓曲可能になっている。これにより、付勢手段４３の付勢力に抗してガイド板２１を押圧することによりガイド板２１は差し込み位置Ｕから押圧位置Ｐに移動させられて、ガイド板２１の摺接部２４により紙Ｋに固形糊１５を塗布可能にしている。
【００２９】
この接着剤塗布具Ｓ１を使用する際は、図１，図４及び図５に示すように、予め、ガイド板２１の支持部２８に筒体３２を取付け、キャップ３８を筒体３２から取外し、つまみ３４を回転させて雄ネジ３６の回転によりベース３５を進出させ、ベース３５により固形糊１５を進出させて、筒体３２の外部に露出させておく。次に、図１及び図２に示すように、差し込み空間Ａに重なった２枚の紙Ｋを夫々差し入れて紙Ｋの内側に固形糊１５がくるようにするとともに、ガイド板２１を把持してガイド板２１を外側から押圧し、ガイド板２１を差し込み位置Ｕから押圧位置Ｐに移動させ、ガイド板２１の一端部２２ａの摺接部２４の摺接板２６と固形糊１５との間に紙Ｋを挟み込む。この際、ガイド板２１が差し込み位置Ｕにあるときは、差し込み空間Ａが形成されているので、紙Ｋが差し込み易くなる。
【００３０】
この状態で、２枚の紙Ｋを両方とも引っ張る等し、２枚の紙Ｋと接着剤塗布具Ｓ１とを相対的に移動させる。
この際、ガイド板２１が押圧位置Ｐにあり、ガイド板２１を介して紙Ｋが固形糊１５に押圧されるので、固形糊１５が確実に紙Ｋに塗布され、塗布されない部位ができにくくなり、２枚の紙Ｋの接着が確実になる。
また、この際、２枚の紙Ｋは、ガイド板２１の一端部２２ａの摺接板２６に沿って移動することになる。この場合、２枚の紙Ｋはガイド板２１にガイドされ、このガイド板２１に沿って移動するので、移動過程で安定して固形糊１５を紙Ｋに塗布できるようになる。
更に、この際、２枚の紙Ｋが両方とも一対のガイド手段２０によりガイドされているので、従来に比較して、２枚の紙Ｋのいずれかが暴れなくなる。即ち、２枚の紙Ｋが両方ともガイド板２１で挟まれて押さえることができるので、２枚の紙Ｋが揃えられた状態を維持できるようになり、貼り付けた時に、従来のように紙の側端縁がずれたり、紙の側縁部にしわが寄ったりする事態が防止でき、紙Ｋの貼り付け精度を向上させることができる。
更に、固形糊１５の塗布後も２枚の紙Ｋが揃った状態のままになるので、固形糊１５の塗布後に、紙Ｋの側端縁同士を揃える作業を省くことができ、貼り合わせ作業が容易になり作業性の向上を図ることができる。
【００３１】
更に、この際、移動中の２枚の紙Ｋは、摺接板２６を通過した後に、摺接板２６に連続する押さえ部２９の斜面により紙Ｋの側縁部１７同士が近付く方向に向かせられるので、２枚の紙Ｋを移動するだけでこの２枚の紙Ｋの側縁部１７同士が当接し、側縁部１７の接着剤により自ずと接着させられる。
また、この場合、押さえ部２９は、その末端部２９ｂが接近し、固形糊１５が塗布された後の２枚の紙Ｋを外側から挟みつけるとともに、板体の弾性力により２枚の紙Ｋの側縁部１７が外側から押圧される。そのため、従来に比較して、２枚の紙Ｋへの固形糊１５の塗布後に紙Ｋの外側から押さえる作業を省いてもよくなり、それだけ作業性が向上させられる。
その後、２枚の紙Ｋを移動し終えた場合には、把持によるガイド板２１の押圧をやめる。この際、ガイド板２１は、弾性力により押圧位置Ｐから差し込み位置Ｕに自動的に復帰する。そのため、次に２枚の紙Ｋを接着する際に、差し込み位置Ｕから押圧位置Ｐに戻す手間が省けるので、容易に差し込み空間Ａに紙Ｋを差し込むことができるようになる。
【００３２】
また、固形糊１５を塗布する作業を繰り返し、固形糊１５が消費された場合には、適宜筒体３２の内部の固形糊１５を順次進出させ紙Ｋの側縁部１７に固形糊１５を塗布できるようにする。更に、筒体３２の内部の固形糊１５が消費されて、固形糊１５が無くなり紙Ｋに固形糊１５を塗布できなくなった場合には、固形糊１５及び筒体３２を新しいものと交換する。この場合、筒体３２の基端側のつまみ３４を係合溝３９ａから引き抜く。次に、固形糊１５が充分に充填された新しい筒体３２を用意し、この筒体３２のつまみ３４を係合溝３９ａに係合して筒体３２を支持部２８に取付ける。これにより、固形糊１５が無くなった場合には、筒体３２を取替えるだけで良くなり、接着剤塗布具Ｓ１全体を交換しなくても良くなり、製造コストが低減される。また、市販の所謂スティック糊を使用することもでき、汎用性が向上させられる。
【００３３】
図７乃至図１０には、本発明の別の実施の形態に係る接着剤塗布具Ｓ２を示している。
この接着剤塗布具Ｓ２の基本的構成は、２枚の紙Ｋをその側縁部１７を重ねた状態で紙Ｋの面方向に相対的に移動可能にガイドするガイド手段２０と、移動過程における２枚の紙Ｋの側縁部１７間で少なくともいずれか一方（実施の形態では両方）の側縁部１７に接着剤Ｎを塗布する塗布手段３０とを備えてなる。実施の形態に係る接着剤塗布具Ｓ２においては、接着剤Ｎは、液状糊１６で構成されている。
【００３４】
詳しくは、ガイド手段２０は、相対向する一対のガイド板２１と、この各ガイド板２１の一端２２を開放させ各ガイド板２１間に２枚の紙Ｋが臨みうるように各ガイド板２１の他端２３を支持する支持部２８とを備えて構成されている。ガイド板２１は、弾性を有した樹脂製の板で構成され、その表面は、平滑に形成されている。また、ガイド板２１は、ガイド板２１とこのガイド板２１間に露出させられた液状糊１６との間に紙Ｋが差し込まれる差し込み空間Ａが形成される差し込み位置Ｕと、ガイド板２１を互いに接近させて差し込み空間Ａを狭め紙Ｋを液状糊１６に押圧する押圧位置Ｐの２位置に移動可能になっている。更に、ガイド板２１の後述の板状部材４６に対応する部位は、紙Ｋの移動方向下流に向けて漸次互いに近接する斜面に形成されている。この板状部材４６に対応する部位よりも後流側の部位は、漸次互いに離間する斜面に形成されている。
支持部２８は、直方体形状で内部が中空に形成されるブロック体２８ａで構成されている。ブロック体２８ａの上面には、ガイド板２１の他端縁２３ｂが固着されている。図７及び図８中、４５は、ガイド板２１のブロック体２８ａへの固着を補強するための補強部材である。
【００３５】
図１０に示すように、塗布手段３０は、支持部２８に設けられ、ガイド板２１間であって２枚の紙Ｋ間に液状糊１６を露出させて保持する保持部３１を備えて構成されている。保持部３１は、ガイド板２１間であって支持部２８のブロック体２８ａ上面に突設され液状糊１６を表面に浸出させて露出させる板状部材４６で構成されている。
板状部材４６は、樹脂製の板材により内部が中空な直方体に形成されている。また、板状部材４６には、紙Ｋの移動方向に直交する方向の側面に内部から外部に連通する複数の連通孔４７が列設されている。連通孔４７からは、板状部材４６の内部にある液状糊１６が浸出可能になっている。
【００３６】
また、板状部材４６に液状糊１６を供給する容器４８が支持部２８に設けられている。容器４８は、支持部２８の内部に設けられ、上下に仕切る板状の仕切部材４９により仕切られた下側の空間４８ａで構成されている。容器４８の液状糊１６は、通路５０を介して板状部材４６に供給されている。通路５０は、仕切部材４９により仕切られた上側の空間に設けられ断面矩形の筒状体５１と、仕切部材４９に形成された孔５２と、ブロック体２８ａの上面に設けられ筒状体５１及び板状部材４６の内部に連通する孔５３とからなる。この板状部材４６には、非使用時においては、図示しないキャップが被せられ、板状部材４６の連通孔４７から液状糊１６が固化するのを防いでいる。
また、ブロック体２８ａの下面には、容器４８に新たな液状糊１６を補充するための補充用孔５４が設けられている。補充用孔５４には、常時は着脱可能な蓋５５が被せられている。この蓋５５は、補充時に取外され、補充用孔５４から液状糊１６を補充し、補充後に再び補充用孔５４に被せられる。
【００３７】
また、接着剤塗布具Ｓ２には、ガイド板２１を、押圧位置Ｐから差し込み位置Ｕに付勢する付勢手段４３が設けられている。この付勢手段４３は、弾性のある樹脂製のガイド板２１そのもので構成されている。これにより、付勢手段４３の付勢力に抗してガイド板２１を押圧することによりガイド板２１は差し込み位置Ｕから押圧位置Ｐに移動させられて、ガイド板２１の摺接部２４により紙Ｋに液状糊１６を塗布可能にしている。
更に、接着剤塗布具Ｓ２には、ガイド板２１間であって、液状糊１６よりも紙Ｋの移動方向上流側に２枚の紙Ｋの側縁部１７を隔てる仕切５６を設けている。仕切５６は、ブロック体２８ａの上面に立設されている。
【００３８】
この接着剤塗布具Ｓ２を使用する際は、予め、容器４８に液状糊１６を充填しておく。次に、２枚の紙Ｋをそれぞれ、ガイド板２１と仕切５６との間に差し込む。そして、この状態のまま、２枚の紙Ｋを板状部材４６側に移動する。
この際、仕切５６により２枚の紙Ｋが隔てられているので、ガイド板２１に沿って２枚の紙Ｋが別々に差し込み空間Ａに入るようになる。そのため、差し込み空間Ａが比較的狭くなっていても、各紙Ｋが夫々の差し込み空間Ａに別々に入るようになるので、容易に差し込み空間Ａに紙Ｋを入れることができるようになる。
次に、ガイド板２１を把持してガイド板２１を外側から押圧し、ガイド板２１を差し込み位置Ｕから押圧位置Ｐに移動させ、差し込み空間Ａに入った紙Ｋを挟み込む。この状態で、２枚の紙Ｋを同時に移動させる。この際、板状部材４６の連通孔４７から浸出した液状糊１６が紙Ｋの側縁部１７に塗布されていく。
【００３９】
また、この際、押圧位置Ｐにあるときは、ガイド板２１を介して紙Ｋが板状部材４６に押圧されるので、液状糊１６が確実に紙Ｋに塗布できるようになり、塗りむらが少なくなり２枚の紙Ｋの接着が確実になる。
更に、この際、上記の実施の形態と同様に、２枚の紙Ｋが両方とも一対のガイド板２１により挟まれて押さえられるので、一方の紙Ｋに液状糊１６を塗布した後に、一方の紙Ｋと他方の紙Ｋを重ね直す作業を省くことができるようになり、２枚の紙Ｋの接着を容易に行なうことができるようになる。
【００４０】
更にまた、この際、移動中の２枚の紙Ｋはガイド板２１に沿って移動し、ガイド板２１の板状部材４６に対応する斜面により紙Ｋ同士が近付けられる方向に向かせられるので、２枚の紙Ｋが自ずと接着するようにできる。
また、この際、板状部材４６に液状糊１６が浸出しているので、板状部材４６に紙Ｋが触れるだけで紙Ｋに液状糊１６が塗布され、また、液状なので、板状部材４６との間に摩擦力が生じにくくなり、紙Ｋの移動をスムーズに行なうことができる。
その他の作用，効果は上記のものと同様である。
尚、板状部材４６を樹脂製の板材で形成したがこれに限定されるものでなく、液状糊１６が浸出可能な、例えば、スポンジであってもよく適宜変更して差し支えない。
【図面の簡単な説明】
【００４１】
【図１】本発明の実施の形態に係る接着剤塗布具を示す斜視図である。
【図２】本発明の実施の形態に係る接着剤塗布具を、ガイド手段により紙をガイドした状態で示す正面図である。
【図３】本発明の実施の形態に係る接着剤塗布具を、ガイド手段により紙をガイドした状態で示す側面図である。
【図４】本発明の実施の形態に係る接着剤塗布具を示す正面図である。
【図５】本発明の実施の形態に係る接着剤塗布具を示す側面断面図である。
【図６】本発明の実施の形態に係る接着剤塗布具を示す平面図である。
【図７】本発明の別の実施の形態に係る接着剤塗布具を、ガイド手段により紙をガイドした状態で示す平面図である。
【図８】本発明の別の実施の形態に係る接着剤塗布具を示す平面図である。
【図９】本発明の別の実施の形態に係る接着剤塗布具を示す図７中Ｂ−Ｂ線断面図である。
【図１０】本発明の別の実施の形態に係る接着剤塗布具を示す図７中Ｃ−Ｃ線断面図である。
【図１１】従来の接着剤塗布具の一例を示す図である。
【符号の説明】
【００４２】
Ｓ１，Ｓ２  接着剤塗布具
Ｋ  紙
Ｎ  接着剤
Ｕ  差し込み位置
Ｐ  押圧位置
Ａ  差し込み空間
１５  固形糊
１６  液状糊
１７  側縁部
２０  ガイド手段
２１  ガイド板
２２  一端
２２ａ  一端部
２３  他端
２３ａ  他端部
２３ｂ  他端縁
２４  摺接部
２５  基材
２６  摺接板
２８  支持部
２８ａ  ブロック体
２９  押さえ部
２９ｂ  末端部
３０  塗布手段
３１  保持部
３２  筒体
３２ａ  先端部
３３  進退機構
３４  つまみ
３５  ベース
３５ａ  溝
３６  雄ネジ
３７  規制部材
３７ａ  レール
３８  キャップ
３９  孔
３９ａ  係合溝
４０  他端内周
４２  一端内周
４３  付勢手段
４５  補強部材
４６  板状部材
４７  連通孔
４８  容器
４９  仕切部材
５０  通路
５１  筒状体
５２，５３  孔
５４  補充用孔
５５  蓋
５６  仕切
【要約】
【課題】  予め揃えられて重なった２枚の紙を、揃った状態のまま２枚の紙の側縁部間に接着剤を塗布して貼り付けることができるようにし貼り付け精度の向上を図るとともに、容易に貼り付けできるようにして作業性の向上を図る。
【解決手段】  ２枚の紙Ｋをその側縁部１７を重ねた状態で紙Ｋの面方向に相対的に移動可能にガイドするガイド手段２０と、移動過程における２枚の紙Ｋの側縁部１７間で少なくともいずれか一方の側縁部１７に接着剤Ｎを塗布する塗布手段３０とを備え、ガイド手段２０を、相対向する一対のガイド板２１と、各ガイド板２１の一端２２を開放させ各ガイド板２１間に２枚の紙Ｋが臨みうるように各ガイド板２１の他端２３を支持する支持部２８とを備えて構成し、塗布手段３０を、支持部２８に設けられ、ガイド板２１間であって２枚の紙Ｋ間に接着剤Ｎを露出させて保持する保持部３１を備えて構成した。
【選択図】  図１
【図１】
0003679799.tif 000002
【図２】
0003679799.tif 000003
【図３】
0003679799.tif 000004
【図４】
0003679799.tif 000005
【図５】
0003679799.tif 000006
【図６】
0003679799.tif 000007
【図７】
0003679799.tif 000008
【図８】
0003679799.tif 000009
【図９】
0003679799.tif 000010
【図１０】
0003679799.tif 000011
【図１１】
0003679799.tif 000012